(57)【要約】【課題】電源線又は信号線が損傷した場合であっても、区画閉鎖装置を動作させる。【解決手段】装置制御盤６は、区画閉鎖装置２を駆動する駆動部６５と、電力が供給される電源線、又は感知器１が火災を感知したことを示す信号を伝送する信号線の異常を検出する異常検出部６１と、異常検出部６１が電源線及び信号線の少なくともいずれかの異常を検出した場合に、電源線から供給される電力と異なる電力を駆動部６５に供給することにより、駆動部６５に区画閉鎖装置２を閉鎖させる駆動制御部６４と、を有する。【選択図】図２
2018206013.tif 000002
【特許請求の範囲】
【請求項１】
火災を感知する感知器と、区画閉鎖装置を制御する制御装置と、当該制御装置に電源線を介して電力を供給する防災制御盤と、を備える防火システムであって、
前記防災制御盤は、前記感知器から火災信号を受信した場合に、信号線を介して、前記区画閉鎖装置を動作させるための指示を含む連動信号を前記制御装置に送信し、
前記制御装置は、前記連動信号を受信した場合、又は前記電源線及び前記信号線の少なくともいずれかの異常を検出した場合に、前記区画閉鎖装置を閉鎖させる、
防火システム。
【請求項２】
前記制御装置は、前記電源線及び前記信号線と異なるケーブルを介して、火災の発生を検出する火災センサーと接続されており、前記電源線及び前記信号線の少なくともいずれかの異常を検出した場合、前記火災センサーが火災の発生を検出したことを条件として、前記区画閉鎖装置を閉鎖させる、
請求項１に記載の防火システム。
【請求項３】
前記制御装置は、前記電源線及び前記信号線と異なるケーブルを介して、火災の発生を検出する火災センサーと接続されており、前記電源線及び前記信号線の少なくともいずれかの異常を検出し、かつ前記火災センサーが故障していることを検出した場合に、前記区画閉鎖装置を閉鎖させる、
請求項１に記載の防火システム。
【請求項４】
前記制御装置は、
前記区画閉鎖装置を駆動する駆動部と、
前記電源線及び前記信号線の少なくともいずれかの異常を検出する異常検出部と、
前記異常検出部が前記電源線及び前記信号線の少なくともいずれかの異常を検出した場合に、前記電源線から供給される電力と異なる電力を前記駆動部に供給することにより、前記駆動部に前記区画閉鎖装置を閉鎖させる駆動制御部と、
を有する、
請求項１から３のいずれか一項に記載の防火システム。
【請求項５】
前記制御装置は、
前記異常検出部が前記電源線及び前記信号線の異常を検出していない状態において、前記電源線から供給される電力に基づいて前記区画閉鎖装置を閉鎖させるための電力を発生し、かつ前記異常検出部が前記電源線及び信号線の少なくともいずれかの異常を検出した状態において、電池から供給される電力に基づいて前記区画閉鎖装置を閉鎖させるための電力を発生する電力発生部をさらに有する、
請求項４に記載の防火システム。
【請求項６】
前記制御装置は、
前記連動信号に基づいて前記駆動制御部に前記区画閉鎖装置を閉鎖させるための制御信号を発生させる中継器と、
前記駆動制御部を有する制御盤と、
を有し、
前記駆動制御部は、前記異常検出部が前記電源線及び前記信号線の異常を検出していない状態において、前記制御信号に基づいて前記駆動部に前記区画閉鎖装置を駆動させ、かつ前記異常検出部が前記電源線又は前記信号線の異常を検出した状態において、前記感知器と異なる火災センサーが火災の発生を検出したことを示す火災検知信号に基づいて前記駆動部に前記区画閉鎖装置を閉鎖させる、
請求項４又は５に記載の防火システム。
【請求項７】
前記駆動制御部は、前記異常検出部が前記電源線又は前記信号線の異常を検出し、かつ前記火災センサーが故障していることを検出した場合に、前記駆動部に区画閉鎖装置を閉鎖させる、
請求項６に記載の防火システム。
【請求項８】
区画閉鎖装置を駆動する駆動部と、
電力が供給される電源線、又は火災感知器が火災を感知したことを示す信号を伝送する信号線の異常を検出する異常検出部と、
前記異常検出部が前記電源線及び前記信号線の少なくともいずれかの異常を検出した場合に、前記電源線から供給される電力と異なる電力を前記駆動部に供給することにより、前記駆動部に前記区画閉鎖装置を閉鎖させる駆動制御部と、
を有する制御装置。
【請求項９】
区画閉鎖装置を制御する制御装置と、防火制御盤との間を接続する電源線及び信号線の少なくともいずれかの異常を検出するステップと、
前記電源線及び前記信号線の少なくともいずれかの異常を検出したことを条件として、前記区画閉鎖装置を駆動するステップと、
を有する、前記制御装置が実行する制御方法。
【発明の詳細な説明】
【技術分野】
【０００１】
本発明は、防火シャッター等の防排煙制御設備（区画閉鎖装置）を制御するための防火システム、制御装置及び制御方法に関する。
【背景技術】
【０００２】
火災感知器が火災を感知したことに連動して防火シャッターを動作させる防火システムが知られている。特許文献１には、火災感知器の状態を監視する防災盤が異常検知信号を制御装置に送信することにより、火災発生時に防火シャッターを閉めることができるシャッター装置が開示されている。
【先行技術文献】
【特許文献】
【０００３】
【特許文献１】特開２００６−２３３６０８号公報
【発明の概要】
【発明が解決しようとする課題】
【０００４】
防災盤と制御装置との間は、防災盤から直接又は中継器を介して制御装置に電力を供給するための電源線、及び防災盤から制御装置に異常検知信号を送信するための信号線により接続されている。火災が発生した場合、防災盤から制御装置に異常検知信号を送信することで、制御装置が防火シャッター又は防火扉等の区画閉鎖装置を制御して区画を封鎖し、延焼を防ぐことができる。
【０００５】
しかしながら、火災によって電源線や信号線が溶断又は短絡してしまう場合がある。電源線が溶断すると、制御装置に電力が供給されず、制御装置が動作しなくなってしまう。また、信号線が溶断すると、制御装置が異常検知信号を受信できず、制御装置が区画閉鎖装置を制御することができない。その結果、区画閉鎖装置によって区画を閉鎖することができず、火災が広がってしまう危険性があるという問題があった。
【０００６】
そこで、本発明はこれらの点に鑑みてなされたものであり、電源線又は信号線が損傷した場合であっても、区画閉鎖装置を動作させることができる防火システム、制御装置及び制御方法を提供することを目的とする。
【課題を解決するための手段】
【０００７】
本発明の第１の態様の防火システムは、火災を感知する感知器と、区画閉鎖装置を制御する制御装置と、当該制御装置に電源線を介して電力を供給する防災制御盤と、を備える防火システムである。前記防災制御盤は、前記感知器から火災信号を受信した場合に、信号線を介して、前記区画閉鎖装置を動作させるための指示を含む連動信号を前記制御装置に送信し、前記制御装置は、前記連動信号を受信した場合、又は前記電源線及び前記信号線の少なくともいずれかの異常を検出した場合に、前記区画閉鎖装置を閉鎖させる。
【０００８】
前記制御装置は、例えば、前記電源線及び前記信号線と異なるケーブルを介して、火災の発生を検出する火災センサーと接続されており、前記電源線及び前記信号線の少なくともいずれかの異常を検出した場合、前記火災センサーが火災の発生を検出したことを条件として、前記区画閉鎖装置を閉鎖させる。
【０００９】
前記制御装置は、前記電源線及び前記信号線と異なるケーブルを介して、火災の発生を検出する火災センサーと接続されており、前記電源線及び前記信号線の少なくともいずれかの異常を検出し、かつ前記火災センサーが故障していることを検出した場合に、前記区画閉鎖装置を閉鎖させてもよい。
【００１０】
前記制御装置は、前記区画閉鎖装置を駆動する駆動部と、前記電源線及び前記信号線の少なくともいずれかの異常を検出する異常検出部と、前記異常検出部が前記電源線及び前記信号線の少なくともいずれかの異常を検出した場合に、前記電源線から供給される電力と異なる電力を前記駆動部に供給することにより、前記駆動部に前記区画閉鎖装置を閉鎖させる駆動制御部と、を有してもよい。
【００１１】
前記制御装置は、前記異常検出部が前記電源線及び前記信号線の異常を検出していない状態において、前記電源線から供給される電力に基づいて前記区画閉鎖装置を閉鎖させるための電力を発生し、かつ前記異常検出部が前記電源線及び信号線の少なくともいずれかの異常を検出した状態において、電池から供給される電力に基づいて前記区画閉鎖装置を閉鎖させるための電力を発生する電力発生部をさらに有してもよい。
【００１２】
前記制御装置は、前記連動信号に基づいて前記駆動制御部に前記区画閉鎖装置を閉鎖させるための制御信号を発生させる中継器と、前記駆動制御部を有する制御盤と、を有し、前記駆動制御部は、前記異常検出部が前記電源線及び前記信号線の異常を検出していない状態において、前記制御信号に基づいて前記駆動部に前記区画閉鎖装置を駆動させ、かつ前記異常検出部が前記電源線又は前記信号線の異常を検出した状態において、前記感知器と異なる火災センサーが火災の発生を検出したことを示す火災検知信号に基づいて前記駆動部に前記区画閉鎖装置を閉鎖させてもよい。
【００１３】
前記駆動制御部は、前記異常検出部が前記電源線又は前記信号線の異常を検出し、かつ前記火災センサーが故障していることを検出した場合に、前記駆動部に区画閉鎖装置を閉鎖させてもよい。
【００１４】
本発明の第２の態様の制御装置は、区画閉鎖装置を駆動する駆動部と、電力が供給される電源線、又は火災感知器が火災を感知したことを示す信号を伝送する信号線の異常を検出する異常検出部と、前記異常検出部が前記電源線及び前記信号線の少なくともいずれかの異常を検出した場合に、前記電源線から供給される電力と異なる電力を前記駆動部に供給することにより、前記駆動部に前記区画閉鎖装置を閉鎖させる駆動制御部と、を有する。
【００１５】
本発明の第３の態様の制御方法は、区画閉鎖装置を制御する制御装置と、防火制御盤との間を接続する電源線及び信号線の少なくともいずれかの異常を検出するステップと、前記電源線及び前記信号線の少なくともいずれかの異常を検出したことを条件として、前記区画閉鎖装置を駆動するステップと、を有する。
【発明の効果】
【００１６】
本発明によれば、電源線又は信号線が損傷した場合であっても、区画閉鎖装置を動作させることができるという効果を奏する。
【図面の簡単な説明】
【００１７】
【図１】防火システムの構成を示す図である。
【図２】装置制御盤の構成を示す図である。
【図３】装置制御盤における処理の流れを示すフローチャートである。
【発明を実施するための形態】
【００１８】
［防火システム１００の概要］
図１は、本実施形態の防火システム１００の構成を示す図である。防火システム１００は、複数の感知器１、区画閉鎖装置２、防災制御盤３、制御装置４及び火災センサー７により構成されている。防火システム１００は、複数の感知器１のいずれかが火災を感知した場合に、防災制御盤３及び制御装置４が連動して区画閉鎖装置２を閉めることで、火災が他の区画に広がることを防ぐためのシステムである。感知器１と、防災制御盤３と、制御装置４との間は、防災制御盤３から感知器１及び制御装置４に電力を供給する電源線Ｐ、及び信号を伝送するための信号線Ｓにより接続されている。なお、信号線Ｓが電源線Ｐを兼ねていてもよい。
【００１９】
感知器１は、火災を感知する。感知器１は、火災を感知すると、防災制御盤３との間で接続された信号線Ｓを介して、火災を感知したことを示す火災信号を防災制御盤３に送信する。区画閉鎖装置２は、例えば、防火シャッター又は防火扉であり、建物内の区画の境界位置に設けられている。
【００２０】
防災制御盤３は、複数の感知器１の少なくともいずれかから火災信号を受信した場合に、信号線Ｓを介して、区画閉鎖装置２を閉鎖させるための指示を含む連動信号を制御装置４に送信する。防火システム１００には、複数の区画閉鎖装置２が設置されており、防災制御盤３は、火災信号を送信した感知器１に対応する区画閉鎖装置２に対して連動信号を送信する。火災信号を送信した感知器１に対応する区画閉鎖装置２は、例えば、火災信号を送信した感知器１が含まれている区画と、当該区画と隣接する区画との間に設けられた区画閉鎖装置２である。
【００２１】
制御装置４は、防災制御盤３から連動信号を受信した場合に区画閉鎖装置２を閉鎖させる。また、制御装置４は、電源線Ｐ及び信号線Ｓの少なくともいずれかの異常を検出した場合にも、区画閉鎖装置２を閉鎖させる。この場合、制御装置４は、区画閉鎖装置２を閉鎖するための電力を、電源線Ｐを介して防災制御盤３から供給される電力から、制御装置４が内蔵する電池が供給する電力に切り換えて、電池が供給する電力により区画閉鎖装置２を閉鎖させる。詳細については後述するが、制御装置４は、電源線Ｐの電圧が所定の閾値以下まで低下したことを検知した場合に、防災制御盤３からの連動信号を受信することなく、区画閉鎖装置２を閉鎖可能にする。
【００２２】
また、制御装置４は、信号線Ｓの電圧が所定の信号電圧閾値以下まで低下したことを検出した場合に、防災制御盤３からの連動信号を受信することなく、区画閉鎖装置２を閉鎖可能にする。制御装置４は、電源線Ｐ及び信号線Ｓの少なくともいずれかの異常を検出した状態において、例えば近傍に設置されており、電源線Ｐ及び信号線Ｓと異なるケーブルを介して接続された火災センサー７が火災を検出したことを条件として、区画閉鎖装置２を閉鎖させる。
【００２３】
制御装置４は、中継器５と装置制御盤６とを有する。中継器５と装置制御盤６との間は、信号線Ｓ、電源線Ｐ及び制御線Ｄにより接続されている。制御線Ｄは、中継器５が防災制御盤３から連動信号を受信したことに応じて、区画閉鎖装置２を閉鎖させるための指示を装置制御盤６に通知するためのケーブルである。
【００２４】
中継器５は、連動信号に基づいて装置制御盤６に区画閉鎖装置２を閉鎖させるための制御信号を発生させる。具体的には、中継器５は、区画閉鎖装置２を閉鎖させる指示を含む連動信号を受信した場合に、制御線Ｄの電圧を所定の電圧に変化させることにより制御信号を発生する。
【００２５】
装置制御盤６は、例えば中継器５から電源線Ｐを介して供給される電力、又は装置制御盤６が内蔵する電池により供給される電力を用いて区画閉鎖装置２を駆動するためのソレノイドを動作させることにより、区画閉鎖装置２を閉鎖させる。装置制御盤６は、電源線Ｐ及び信号線Ｓに異常が発生していない状態において、中継器５から入力される制御信号に基づいて区画閉鎖装置２を駆動し、電源線Ｐ及び信号線Ｓの少なくともいずれかに異常が発生している状態において、火災センサー７から入力される火災検知信号に基づいて区画閉鎖装置２を駆動する。
【００２６】
［装置制御盤６の構成］
図２は、装置制御盤６の構成を示す図である。装置制御盤６は、異常検出部６１と、切換制御部６２と、電源部６３と、駆動制御部６４と、駆動部６５とを有する。
【００２７】
異常検出部６１は、電力検出回路６１１及び信号検出回路６１２を有しており、電源線Ｐ（図２におけるＰ（−）及びＰ（＋））及び信号線Ｓの少なくともいずれかの異常を検出する。電力検出回路６１１は、例えば、電源線Ｐから供給される電力、電源線Ｐの電圧、又は電源線Ｐを流れる電流の異常を検出することにより、電源線Ｐの異常を検出する。
【００２８】
電源線Ｐは、定常状態で所定の電圧（例えば２４Ｖ）になっている。電源線Ｐが断線すると電力検出回路６１１の入力側が開放状態になるため、電力検出回路６１１が検出する電圧が不定となる。そこで、電力検出回路６１１は、例えば、電源線Ｐの電圧が定常状態の電圧と異なる状態が、電源の電圧変動の最大の周期よりも大きな所定の時間以上継続した場合に、電源線Ｐに異常が発生したことを検出する。電力検出回路６１１は、電源線Ｐに異常が発生したことを切換制御部６２に通知する。
【００２９】
信号検出回路６１２は、信号線Ｓの電圧を検出することにより、信号線Ｓの異常を検出する。信号線Ｓは、定常状態で所定の電圧（例えば２４Ｖ）になっており、論理値０の連動信号が送信される間は電圧が０Ｖとなり、論理値１の連動信号が送信される間は電圧が２４Ｖとなる。信号検出回路６１２は、信号線Ｓの電圧を監視する回路を有しており、信号線Ｓの電圧が閾値以下の状態が所定の時間以上継続した場合に、信号線Ｓに異常が発生したことを検出する。所定の時間は、例えば、連動信号の最大の長さに相当する時間である。信号検出回路６１２は、信号線Ｓに異常が発生したことを切換制御部６２に通知する。
【００３０】
切換制御部６２は、電力検出回路６１１から電源線Ｐに異常が発生したことの通知を受けた場合、又は信号検出回路６１２から信号線Ｓに異常が発生したことの通知を受けた場合に、電源部６３及び駆動制御部６４の動作モードを切り換える。具体的には、切換制御部６２は、電源線Ｐ及び信号線Ｓの少なくともいずれかに異常が発生した場合、電源部６３を制御して、駆動部６５を介して区画閉鎖装置２を駆動するための電力を、電源線Ｐから供給される電力から、電源部６３が内蔵する後述の電池６３１から供給される電力に切り換える。
【００３１】
また、切換制御部６２は、電源線Ｐ及び信号線Ｓの少なくともいずれかに異常が発生した場合、駆動制御部６４を制御して、駆動部６５を介して区画閉鎖装置２を駆動するトリガーを、制御線Ｄを介して入力される制御信号から、火災センサー７が火災を検知したことを示す火災検知信号に切り換える。切換制御部６２は、例えばＣＰＵ（Central Processing Unit）及びメモリを有しており、ＣＰＵがメモリに記憶されたプログラムを実行することにより電源部６３及び駆動制御部６４の動作モードを切り換えるように制御する。
【００３２】
電源部６３は、電池６３１、予備電源回路６３２、ダイオード６３３及びダイオード６３４を有する。電源部６３は、異常検出部６１が、電源線Ｐ及び信号線Ｓの異常を検出していない状態において、電源線Ｐから供給される電力に基づいて、区画閉鎖装置２を駆動するための電力を発生する。また、電源部６３は、異常検出部６１が電源線Ｐ及び信号線Ｓの少なくともいずれかの異常を検出した状態において、電池６３１から供給される電力に基づいて区画閉鎖装置２を閉鎖させるための電力を発生する。
【００３３】
電池６３１は、区画閉鎖装置２を駆動するための電力を供給可能な電池であり、例えば充電可能なリチウムイオン電池である。予備電源回路６３２は、電池６３１から供給される電力に基づいて、区画閉鎖装置２を駆動するための電圧を発生するレギュレータである。予備電源回路６３２は、電池６３１により電力を供給するモードに切り換える指示を切換制御部６２から受けた場合に、電池６３１に基づく電圧の発生を開始する。
【００３４】
ダイオード６３３及びダイオード６３４はスイッチングダイオードである。ダイオード６３３は、アノードが予備電源回路６３２の電圧出力端子に接続されており、ダイオード６３４は、アノードが電源線Ｐに接続されている。電源部６３がダイオード６３３及びダイオード６３４を有することにより、電源線Ｐから電力が供給されている状態において、電源線Ｐから供給された電力がそのまま駆動制御部６４に供給され、電源線Ｐから電力が供給されていない状態において、予備電源回路６３２から供給される電力が駆動制御部６４に供給される。
【００３５】
駆動制御部６４は、異常検出部６１が電源線Ｐ及び信号線Ｓの異常を検出していない状態において、連動信号に基づいて駆動部６５に区画閉鎖装置２を閉鎖させる。また、駆動制御部６４は、異常検出部６１が電源線Ｐ及び信号線Ｓの少なくともいずれかの異常を検出した状態において、火災センサー７が火災の発生を検出したことを条件として駆動部６５に区画閉鎖装置２を閉鎖させる。駆動制御部６４は、異常検出部６１が電源線Ｐ及び信号線Ｓの少なくともいずれかの異常を検出した場合に、電源線Ｐから供給される電力と異なる電力を駆動部６５に供給することにより、駆動部６５に区画閉鎖装置２を閉鎖させる。
【００３６】
駆動制御部６４は、スイッチ６４１及びリレー６４２を有する。スイッチ６４１は、例えば２接点スイッチであり、切換制御部６２の制御に基づいて、リレー６４２に印加するリレー制御電圧を切り換える。スイッチ６４１は、第１端子が制御線Ｄに接続されており、第２端子が火災センサー７に接続されている。スイッチ６４１は、異常検出部６１が電源線Ｐ及び信号線Ｓの異常を検出していない状態において、制御線Ｄを介して入力される電圧をリレー制御電圧としてリレー６４２に印加する。また、スイッチ６４１は、異常検出部６１が電源線Ｐ及び信号線Ｓの少なくともいずれかの異常を検出した状態において、火災センサー７から入力される電圧をリレー制御電圧としてリレー６４２に印加する。
【００３７】
リレー６４２は、スイッチ６４１から入力されるリレー制御電圧に基づいて、電源部６３から供給される電力を駆動部６５に供給するか否かを切り換える。具体的には、リレー６４２は、異常検出部６１が電源線Ｐ及び信号線Ｓの異常を検出していない状態において、制御線Ｄを介して入力される電圧が閾値以上である場合に、電源部６３と駆動部６５とを接続し、電源部６３が出力する電力を駆動部６５に供給する。また、リレー６４２は、異常検出部６１が電源線Ｐ及び信号線Ｓの少なくともいずれかの異常を検出した状態において、火災センサー７が出力する電圧が閾値以上であり、火災センサー７が火災を検知したことを示している場合に、電源部６３と駆動部６５とを接続し、電源部６３が出力する電力を駆動部６５に供給する。
【００３８】
駆動部６５は、区画閉鎖装置２を駆動するための力を発生するデバイスとして、例えばソレノイド６５１を有する。リレー６４２が電源部６３と駆動部６５とを接続していない状態において、ソレノイド６５１には電流が流れず、ソレノイド６５１は、区画閉鎖装置２を駆動するためのアクチュエータ（不図示）を動作させない。一方、リレー６４２が電源部６３と駆動部６５とを接続している状態において、ソレノイド６５１に電流が流れることにより、区画閉鎖装置２を閉鎖させるようにアクチュエータが動作する。このようにすることで、装置制御盤６は、電源線Ｐ及び信号線Ｓに異常が発生していない状態において、防災制御盤３からの制御に基づいて区画閉鎖装置２を閉鎖し、電源線Ｐ及び信号線Ｓの少なくともいずれかに異常が発生し、かつ火災センサー７が火災を検知したことに応じて、区画閉鎖装置２を閉鎖する。
【００３９】
［装置制御盤６における処理の流れ］
図３は、装置制御盤６における処理の流れを示すフローチャートである。切換制御部６２は、異常検出部６１における検出結果に基づいて、電源線Ｐ又は信号線Ｓが正常であるか否かを監視する（Ｓ１１）。切換制御部６２は、電源線Ｐ及び信号線Ｓが正常であると判定した場合（Ｓ１１においてＹＥＳ）、信号線Ｓを介して防災制御盤３から受信する連動信号に基づいて、区画閉鎖装置２を閉鎖する指示を受けたか否かを判定する（Ｓ１２）。
【００４０】
切換制御部６２は、区画閉鎖装置２を閉鎖する指示を受けていない場合（Ｓ１２においてＮＯ）、処理をＳ１１に戻す。切換制御部６２は、区画閉鎖装置２を閉鎖する指示を受けた場合（Ｓ１２においてＹＥＳ）、電源線Ｐから供給される電力を電源部６３に出力させることで、区画閉鎖装置２を閉鎖できる状態にする。この状態において制御線Ｄの電圧が閾値以上になると駆動部６５に電流が流れて、ソレノイド６５１が区画閉鎖装置２を駆動することにより区画閉鎖装置２を閉鎖させる（Ｓ１３）。
【００４１】
切換制御部６２は、ステップＳ１１において電源線Ｐ及び信号線Ｓの少なくともいずれかに異常が発生したと判定した場合（Ｓ１１においてＮＯ）、リレー６４２と火災センサー７とを接続するようにスイッチ６４１を切り換える（Ｓ１４）。この状態において火災センサー７が火災を検知した場合に（Ｓ１５においてＹＥＳ）、駆動部６５に電流が流れて、ソレノイド６５１が区画閉鎖装置２を駆動することにより区画閉鎖装置２を閉鎖させる（Ｓ１３）。
【００４２】
（変形例１）
以上の説明においては、電源線Ｐ及び信号線Ｓの少なくともいずれかに異常が発生した場合に、装置制御盤６は、区画閉鎖装置２を閉鎖するための電力を電池６３１から供給される電力に切り換えるとともに、リレー６４２を制御する信号を火災センサー７が出力する火災検知信号に切り換えた。これに対して、装置制御盤６は、電源線Ｐに異常が発生し、信号線Ｓに異常が発生していない場合、リレー６４２を制御する信号として、制御線Ｄから出力される制御信号を用いてもよい。また、装置制御盤６は、信号線Ｓに異常が発生し、電源線Ｐに異常が発生していない場合、電源線Ｐにより供給される電力を、区画閉鎖装置２を閉鎖するための電力として用いてもよい。
【００４３】
（変形例２）
以上の説明において、駆動制御部６４は、異常検出部６１が電源線Ｐ又は信号線Ｓの異常を検出し、かつ火災センサー７が火災の発生を検出したことを条件として、駆動部６５に区画閉鎖装置２を閉鎖させた。これに対して、駆動制御部６４は、異常検出部６１が電源線Ｐ又は信号線Ｓの異常を検出し、かつ火災センサー７が故障していることを検出した場合に、駆動部６５に区画閉鎖装置２を閉鎖させることで、フェールセーフ動作を行うようにしてもよい。
【００４４】
［防火システム１００による効果］
以上説明したように、防火システム１００においては、異常検出部６１が電源線Ｐ及び信号線Ｓの少なくともいずれかに異常が発生したことを検出した場合に、装置制御盤６が、電池６３１から供給される電力に基づいて、区画閉鎖装置２を閉鎖するように駆動部６５を制御する。このようにすることで、防災制御盤３と中継器５とを接続する電源線Ｐ及び信号線Ｓのいずれかに異常が発生した場合であっても、装置制御盤６が自律的に区画閉鎖装置２を閉鎖することができる。したがって、電源線Ｐを介して防災制御盤３から電力が供給されなくなったり、信号線Ｓを介して防災制御盤３から連動信号が送信されなくなったりしても、区画閉鎖装置２を閉鎖することができるので、火災による延焼を防ぐことができる。
【００４５】
また、装置制御盤６は、異常検出部６１が電源線Ｐ及び信号線Ｓの少なくともいずれかに異常が発生したことを検出した場合に、装置制御盤６の近傍に設置された火災センサー７が火災を検知したことを条件にして区画閉鎖装置２を閉鎖することもできる。このようにすることで、必要以上に区画閉鎖装置２を閉鎖してしまい、避難経路が不足してしまうことを防止できる。
【００４６】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００４７】
例えば、以上の説明においては、装置制御盤６において電源線Ｐ及び信号線Ｓの少なくともいずれかの異常を検出する例を示したが、中継器５において電源線Ｐ及び信号線Ｓの少なくともいずれかの異常を検出してもよい。また、中継器５と装置制御盤６とが一体の装置であってもよい。また、制御装置４が中継器５を有しておらず、装置制御盤６が防災制御盤３と直接通信をする構成であってもよい。
【００４８】
また、以上の説明においては、感知器１から防災制御盤３に送信される火災信号、及び防災制御盤３から制御装置４に送信される連動信号が、共通の信号線Ｓにより伝送されるＲ型防火システムを例示したが、本発明はＰ型防火システムに適用することも可能である。例えば、本発明は、感知器１から防災制御盤３に火災信号を送信するための信号線と、防災制御盤３から制御装置４に連動信号を送信するための信号線とが異なる防火システムにも適用することができる。
【符号の説明】
【００４９】
１  感知器
２  区画閉鎖装置
３  防災制御盤
４  制御装置
５  中継器
６  装置制御盤
７  火災センサー
６１  異常検出部
６２  切換制御部
６３  電源部
６４  駆動制御部
６５  駆動部
１００  防火システム
６１１  電力検出回路
６１２  信号検出回路
６３１  電池
６３２  予備電源回路
６３３  ダイオード
６３４  ダイオード
６４１  スイッチ
６４２  リレー
６５１  ソレノイド
【図１】
2018206013.tif 000003
【図２】
2018206013.tif 000004
【図３】
2018206013.tif 000005